(57)【要約】【課題】敷線設備を簡略にすることが可能で増設が容易であり、且つ敷線にて伝送するデータ量を増加させることなく監視装置の数を増やすことが可能な監視システムを提供する。【解決手段】監視装置の各々を、上流側の監視装置から下流側の監視装置まで映像用接続線ＬＡと制御用接続線ＬＤにて直列に接続する。最下流の監視装置の操作手段から撮像装置が指定されると、指定された撮像装置を特定する識別情報を含む指定情報を、制御用接続線ＬＤを介して１段上流側の監視装置に送信し、順次、最上流の監視装置まで指定情報を送信する。識別情報に対応する撮像装置が接続されている監視装置は、その撮像装置が撮像した画像データから変換した映像信号を、映像用接続線ＬＡを介して１段下流側の監視装置に出力し、識別情報に対応する撮像装置が接続されていない監視装置は、１段上流側から入力された映像信号を１段下流側の監視装置にそのまま出力する。【選択図】図３
2008219223.tif 000002
【特許請求の範囲】
【請求項１】
撮像により得られた画像データを次々と出力する撮像装置と、前記撮像装置が単数または複数接続されて前記画像データを記録する記録装置にて構成された監視装置を複数備えた監視システムであって、
更に、前記画像データから変換した映像信号が入力されると入力された前記映像信号に応じた映像を表示する表示装置を備え、
前記監視装置の各々は、前記映像信号が入力される映像信号入力部と、前記映像信号を出力する映像信号出力部と、制御データが入力される制御データ入力部と、前記制御データを出力する制御データ出力部とを備え、一方の末端側を示す上流側の監視装置から他方の末端側を示す下流側の監視装置に向けて、映像用接続線と制御用接続線にて直列に接続されており、
前記映像用接続線は、上流側の監視装置の前記映像信号出力部から１段下流側の監視装置の前記映像信号入力部へと、順次、接続されており、
前記制御用接続線は、下流側の監視装置の前記制御データ出力部から１段上流側の監視装置の前記制御データ入力部へと、順次、接続されており、
最下流の監視装置の前記映像信号出力部には、前記表示装置が接続され、
最下流の監視装置は、前記表示装置に表示する映像に対応する撮像装置を指定可能な操作手段を備えており、前記操作手段から撮像装置が指定されると、指定された撮像装置を特定する識別情報を含む指定情報を、１段上流側の監視装置に接続された前記制御用接続線を介して１段上流側の監視装置に送信し、
前記監視装置の各々は、１段下流側の監視装置に接続された前記制御用接続線を介して前記指定情報を受信すると、１段上流側の監視装置に接続された前記制御用接続線を介して前記指定情報を１段上流側の監視装置へ送信することで、順次、最上流の監視装置まで前記指定情報を送信し、
前記指定情報に含まれている識別情報に対応する撮像装置が接続されている監視装置は、当該撮像装置が撮像した画像データ、または当該撮像装置が撮像して記録されている画像データを読み出して映像信号に変換して前記映像信号出力部から出力し、
前記指定情報に含まれている識別情報に対応する撮像装置が接続されていない監視装置は、前記映像信号入力部から映像信号が入力されると、入力された映像信号を前記映像信号出力部から出力する、監視システム。
【請求項２】
請求項１に記載の監視システムであって、
最下流の監視装置に操作手段を備える代わりに、最下流の監視装置の前記制御データ入力部に着脱可能な操作ユニットが接続されており、
前記操作ユニットは、前記表示装置に表示する映像に対応する前記撮像装置を指定可能であり、撮像装置が指定されると最下流の監視装置に前記指定情報を送信し、
最下流の監視装置は、前記操作ユニットから前記指定情報を受信すると、１段上流側の監視装置に接続された前記制御用接続線を介して前記指定情報を１段上流側の監視装置へ送信する、監視システム。
【請求項３】
請求項１または２に記載の監視システムであって、
前記表示装置に表示する映像に対応する撮像装置の指定は、同一の監視装置に接続された複数の撮像装置を指定することが可能であり、
複数の撮像装置が指定された場合、
前記指定情報には、前記複数の撮像装置に対応する複数の識別情報が含まれており、
前記指定情報に含まれている複数の識別情報の各々に対応する複数の撮像装置が接続されている監視装置は、当該複数の撮像装置が撮像した画像データ、または当該複数の撮像装置が撮像して記録されている画像データを読み出して、各撮像装置の画像データに基づいた映像をそれぞれ異なる領域に表示する映像信号に変換して前記映像信号出力部から出力する、監視システム。
【発明の詳細な説明】
【技術分野】
【０００１】
本発明は、複数の監視エリアを監視可能な監視システムに関する。
【背景技術】
【０００２】
従来では、例えば、複数の監視エリアＲａ〜Ｒｎを監視する監視システムを構築する場合、図４の例に示すように構成されていた。
この場合、例えば監視エリアＲａでは、撮像装置ａ１〜ａ４は画像データを次々とスイッチャａｓに出力している。そして、スイッチャａｓは、並列的に入力される撮像装置ａ１の画像データ〜撮像装置ａ４の画像データを、撮像装置ａ１〜ａ４の順番に直列的に、そして巡回させながら画像データを記録装置ａに出力している。なお、図４の例では、撮像装置ａ１〜ａ４とスイッチャａｓと記録装置ａにて監視装置Ｋａを構成している。
そして、監視エリアＲａ〜Ｒｎの各々の監視装置Ｋａ〜Ｋｎは、各々が敷線Ｌにて受信装置Ｗに接続されている。各敷線Ｌには、各々の監視装置からの画像データ（撮像装置にて得た画像データ）が送出されている。
これにより、受信装置Ｗには、監視装置Ｋａ〜Ｋｎの全ての画像データが入力され、記録される。また、受信装置Ｗには表示装置Ｍが接続され、所望する撮像装置の画像データに基づいた映像を表示装置Ｍに出力することができる。受信装置Ｗに設けられた操作手段から所望する撮像装置を指定すると、受信装置Ｗは、指定された撮像装置に対応する画像データを読み出して映像信号に変換し、変換した映像信号を表示装置Ｍに出力する。
上記に説明した従来の監視システム１００は、各監視装置（Ｋａ〜Ｋｎ）から受信装置Ｗまでを、各々の敷線Ｌで接続しているため、受信装置Ｗの設置場所から各監視エリア（各部屋等）までを接続する各々の長さの敷線Ｌが必要である。
【０００３】
そこで、特許文献１に記載された従来技術では、図５に示すように、撮像装置ａ１〜ｎ１と記憶装置（図示省略）を備えた監視装置Ｋａ〜Ｋｎを、受信装置Ｗに接続される監視装置Ｋｎから反対側の末端の監視装置Ｋａまで、順次、直列に接続して敷線設備を簡略かつ容易にできる多点監視装置が提案されている。
【特許文献１】特開平９−１１６８９３号公報
【発明の開示】
【発明が解決しようとする課題】
【０００４】
特許文献１に記載された従来技術では、所望する撮像装置からの映像を表示する表示装置Ｍを接続するために、全ての撮像装置の画像データを受信して記憶するとともに、表示装置Ｍに映像信号を出力する受信装置Ｗが必要であり、設備費用が高価になる。
また、受信装置Ｗから順次、全監視装置Ｋｎ〜Ｋａが直列に接続されており、受信装置Ｗ側を下流側、受信装置と反対の末端側（監視装置Ｋａ側）を上流側とすると、最上流の監視装置Ｋａは１段下流側の監視装置Ｋｂに敷線Ｌを介して画像データを出力し、１段下流側の監視装置Ｋｂは、最上流の画像データと自身の画像データを更に１段下流の監視装置Ｋｃに出力し、順次、自身の画像データを追加しながら敷線Ｌに画像データを送出している。従って、最下流となる受信装置Ｗに近づくに従って敷線Ｌにて伝送される画像データの量が増加して通信負荷が増加するため、接続できる監視装置の数の上限値が低くなる。なお、特許文献１では、高速処理を行うＤＳＰと画像圧縮装置を追加してデータサイズを小さくして通信負荷を低減する構成も示されているが、接続する監視装置の数を増せばデータ量が増えることに変わりはない。
なお、図４に示す従来技術では、敷線設備が複雑で且つ長い敷線が必要であることに加えて、接続できる監視装置の数の上限値は受信装置Ｗによって決まっている。
本発明は、このような点に鑑みて創案されたものであり、敷線設備を簡略にすることが可能で増設が容易であり、且つ敷線にて伝送するデータ量を増加させることなく監視装置の数を増やすことが可能な監視システムを提供することを課題とする。
【課題を解決するための手段】
【０００５】
上記課題を解決するための手段として、本発明の第１発明は、請求項１に記載されたとおりの監視システムである。
請求項１に記載の監視システムは、撮像により得られた画像データを次々と出力する撮像装置と、前記撮像装置が単数または複数接続されて前記画像データを記録する記録装置にて構成された監視装置を複数備えた監視システムであって、更に、前記画像データから変換した映像信号が入力されると入力された前記映像信号に応じた映像を表示する表示装置を備える。
前記監視装置の各々は、前記映像信号が入力される映像信号入力部と、前記映像信号を出力する映像信号出力部と、制御データが入力される制御データ入力部と、前記制御データを出力する制御データ出力部とを備え、一方の末端側を示す上流側の監視装置から他方の末端側を示す下流側の監視装置に向けて、映像用接続線と制御用接続線にて直列に接続されており、前記映像用接続線は、上流側の監視装置の前記映像信号出力部から１段下流側の監視装置の前記映像信号入力部へと、順次、接続されており、前記制御用接続線は、下流側の監視装置の前記制御データ出力部から１段上流側の監視装置の前記制御データ入力部へと、順次、接続されている。
また、最下流の監視装置の前記映像信号出力部には、前記表示装置が接続され、最下流の監視装置は、前記表示装置に表示する映像に対応する撮像装置を指定可能な操作手段を備えており、前記操作手段から撮像装置が指定されると、指定された撮像装置を特定する識別情報を含む指定情報を、１段上流側の監視装置に接続された前記制御用接続線を介して１段上流側の監視装置に送信し、前記監視装置の各々は、１段下流側の監視装置に接続された前記制御用接続線を介して前記指定情報を受信すると、１段上流側の監視装置に接続された前記制御用接続線を介して前記指定情報を１段上流側の監視装置へ送信することで、順次、最上流の監視装置まで前記指定情報を送信する。
そして、前記指定情報に含まれている識別情報に対応する撮像装置が接続されている監視装置は、当該撮像装置が撮像した画像データ、または当該撮像装置が撮像して記録されている画像データを読み出して映像信号に変換して前記映像信号出力部から出力し、前記指定情報に含まれている識別情報に対応する撮像装置が接続されていない監視装置は、前記映像信号入力部から映像信号が入力されると、入力された映像信号を前記映像信号出力部から出力する。
【０００６】
また、本発明の第２発明は、請求項２に記載されたとおりの監視システムである。
請求項２に記載の監視システムは、請求項１に記載の監視システムであって、最下流の監視装置に操作手段を備える代わりに、最下流の監視装置の前記制御データ入力部に着脱可能な操作ユニットが接続されている。
前記操作ユニットは、前記表示装置に表示する映像に対応する前記撮像装置を指定可能であり、撮像装置が指定されると最下流の監視装置に前記指定情報を送信し、最下流の監視装置は、前記操作ユニットから前記指定情報を受信すると、１段上流側の監視装置に接続された前記制御用接続線を介して前記指定情報を１段上流側の監視装置へ送信する。
【０００７】
また、本発明の第３発明は、請求項３に記載されたとおりの監視システムである。
請求項３に記載の監視システムは、請求項１または２に記載の監視システムであって、前記表示装置に表示する映像に対応する撮像装置の指定は、同一の監視装置に接続された複数の撮像装置を指定することが可能である。
そして、複数の撮像装置が指定された場合、前記指定情報には、前記複数の撮像装置に対応する複数の識別情報が含まれており、前記指定情報に含まれている複数の識別情報の各々に対応する複数の撮像装置が接続されている監視装置は、当該複数の撮像装置が撮像した画像データ、または当該複数の撮像装置が撮像して記録されている画像データを読み出して、各撮像装置の画像データに基づいた映像をそれぞれ異なる領域に表示する映像信号に変換して前記映像信号出力部から出力する。
【発明の効果】
【０００８】
請求項１に記載の監視システムを用いれば、受信装置を備えることなく、監視装置の各々を、順次、映像用接続線と制御用接続線にて、直列に接続することで、敷線設備を簡略化することができる。なお、映像用接続線と制御用接続線が、各々敷線に相当する。
また、監視装置を何台直列接続しても、図２において、指定された撮像装置を備えている監視装置のみが映像用接続線ＬＡに映像信号を出力し、他の監視装置は入力された映像信号をそのまま（スルーで）出力する（図３参照）。
このため、最下流の監視装置ＫＮの映像用接続線ＬＡには、監視装置１台分の映像信号が伝送されるのみであり、監視装置の数にかかわらず一定のデータ量（１台分のデータ量）であるため、監視装置の数の増加に応じてデータ量が増えることがない。
なお、映像信号を出力する監視装置を指示するための指定情報は、制御用信号線にて順次、下流側から上流側に転送され、制御用信号線においても、上流側への転送が進むにつれてデータ量が増えるようなことは無い。
【０００９】
また、請求項２に記載の監視システムによれば、表示装置に表示する映像に対応する撮像装置の指示の入力を、着脱可能な操作ユニットにて構成（監視装置に対して別体の操作ユニットとして構成）し、この操作ユニットを最下流の監視装置の制御データ入力部に接続することで、最下流の監視装置から最上流の監視装置まで、全て同じ監視装置とすることができる（請求項１では、最下流の監視装置が操作手段を備えている点で、他の監視装置とは異なる）。
これにより、監視装置を増設する場合、最下流の監視装置の更に下流側に増設することも容易である。なお、最下流の更に下流に増設した場合、増設した監視装置（新たな最下流の監視装置）に表示装置と操作ユニットを接続すればよい。
【００１０】
また、請求項３に記載の監視システムによれば、同一の監視装置に接続されている複数の撮像装置の映像を表示装置に表示させることができるので、便利である。
【発明を実施するための最良の形態】
【００１１】
以下に本発明を実施するための最良の形態を図面を用いて説明する。図１は、本発明の監視システム１を構成する監視装置ＫＡ（撮像装置ａ１〜ａ４と記録装置Ａにて構成）の例を説明する図であり、図２は監視システム１を構成する監視装置ＫＡ〜ＫＮ、及び表示装置Ｍの接続の例を説明する図である。
●［監視システム１の構成と接続（図１、図２）］
図２に示すように、記録装置Ａ〜Ｎの各々に、撮像装置（ａ１〜ａ４、ｂ１〜ｂ４等）を接続して構成した監視装置ＫＡ〜ＫＮを、各監視エリアＲａ〜Ｒｎに配置する。例えば、監視エリアＲａには、撮像装置ａ１〜ａ４と記録装置Ａにて監視装置ＫＡを構成して配置する。なお、１台の記録装置に接続する撮像装置の数は、単数であっても良いし、任意の数の複数であっても良く、図１及び２に示すように４台に限定されるものではない。
【００１２】
図１の例では、例えば、撮像装置ａ１〜ａ４の各々は、所定時間間隔、または記録装置Ａからの同期信号に応じて対象エリアを撮像し、撮像によって得られた画像データを次々と記録装置Ａに向けて出力する。また、記録装置Ａは記憶手段を備えており、入力された画像データを、撮像装置ａ１〜ａ４に対応させて記録する。
また、図２に示すように、各監視装置ＫＡ〜ＫＮは、一方の末端側（図２の例では左側）を示す上流側の監視装置ＫＡから、他方の末端側（図２の例では右側）を示す下流側の監視装置ＫＮに向けて、映像用接続線ＬＡと制御用接続線ＬＤにて直列に接続されている。そして、最下流の監視装置ＫＮから映像用接続線ＬＡにて、表示装置Ｍが接続されている。
なお、操作手段５０（詳細は後述）は、最下流の監視装置ＫＮのみに設ければよいので、監視装置ＫＢを示す図２では点線で示している。
【００１３】
●［監視装置の構成と動作（図３）］
次に、図３を用いて、監視装置ＫＢを例にして監視装置の構成と動作について説明する。
監視装置ＫＢは、撮像装置ｂ１〜ｂ４と記録装置Ｂにて構成されており、撮像装置ｂ１〜ｂ４の各々は、記録装置Ｂに設けられた撮像装置接続部２１〜２４に接続されている。
撮像装置ｂ１〜ｂ４は、例えばＣＣＤカメラであり、所定タイミング毎（所定時間間隔またはスイッチャ２０からの同期信号毎等）に撮像して得られた画像データ（デジタルデータ）を出力する。
撮像装置接続部２１〜２４を介して記録装置Ｂに並列的に入力された画像データは、スイッチャ２０に入力され、スイッチャ２０は、並列的に入力された画像データを、制御手段１０（ＣＰＵ等）に直列的に出力する。例えば、スイッチャ２０は、所定時間間隔で並列的に入力された撮像装置ｂ１〜ｂ４の画像データを間引くように抽出して、所定時間間隔で、撮像装置ｂ１〜ｂ４の画像データが直列的に並ぶように、且つ巡回的（撮像装置ｂ１〜ｂ４の画像データの次は、再度、撮像装置ｂ１〜ｂ４の画像データ）に制御手段１０に出力する。
そして、制御手段１０は、直列的に入力された画像データを、撮像装置ｂ１〜ｂ４に対応させて記憶手段３０に記憶（記録）する。
【００１４】
また、監視装置ＫＢは、制御データ（例えば、デジタルデータのコマンドやメッセージ等）が入力される制御データ入力部ＣＤｉｎと、制御データを出力する制御データ出力部ＣＤｏｕｔとを備えている。制御手段１０は、制御データ入力部ＣＤｉｎを介して制御データを受信し、制御データ出力部ＣＤｏｕｔを介して制御データを送信することができる。
また、監視装置ＫＢは、映像信号（例えば、表示装置Ｍにて表示可能なアナログ信号等）が入力される映像信号入力部ＥＡｉｎと、映像信号を出力する映像信号出力部ＥＡｏｕｔとを備えている。また、監視装置ＫＢは、制御手段１０から入力された画像データを、表示装置Ｍにて表示可能な映像信号に変換する映像信号変換手段４０を備えており、制御手段１０は、スイッチＳＷを切り替え手段２０ａにて制御することで、映像信号出力部ＥＡｏｕｔを介して出力する映像信号を、映像信号入力部ＥＡｉｎから入力された映像信号か、映像信号変換手段４０から出力された映像信号か、のいずれかに切り替えることができる。
【００１５】
そして、図２の例に示す最下流の監視装置ＫＮから最上流の監視装置ＫＡまで、各監視装置の制御データ出力部ＣＤｏｕｔは、１段上流側の監視装置の制御データ入力部ＣＤｉｎへと、順次、制御用接続線ＬＤにて接続される。なお、最上流の監視装置ＫＡの制御データ出力部ＣＤｏｕｔには何も接続されず、最下流の監視装置ＫＮの制御データ入力部ＣＤｉｎには何も接続されない。
また、最上流の監視装置ＫＡから最下流の監視装置ＫＮまで、各監視装置の映像信号出力部ＥＡｏｕｔは、１段下流側の監視装置の映像信号入力部ＥＡｉｎへと、順次、映像用接続線ＬＡにて接続される。なお、最上流の監視装置ＫＡの映像信号入力部ＥＡｉｎには何も接続されず、最下流の監視装置ＫＮの映像信号出力部ＥＡｏｕｔには表示装置Ｍが接続される。
最下流の監視装置ＫＮは、どの監視装置の撮像装置からの映像を表示装置Ｍに表示すべきか、を指定可能な操作手段５０（入力キーと入力結果を表示する表示機等）を備えている。また、各撮像装置（ａ１〜ｎ４）には、撮像装置を特定するための識別情報が割り付けられており、記録装置の各々は、自身に接続されている撮像装置に割り付けられた識別情報が記憶あるいは設定されている。
【００１６】
例えば、監視装置ＫＡの撮像装置ａ１〜ａ４の各々に、「ａ１」〜「ａ４」が割り付けられており、表示装置Ｍにて撮像装置ａ１からの映像を表示させたい場合、作業者は、監視装置ＫＮの操作手段から撮像装置ａ１に対応する識別情報「ａ１」を指定（入力）する。
操作手段から識別情報「ａ１」が指定されると、監視装置ＫＮは、指定された識別情報「ａ１」を含む指定情報を、制御用接続線ＬＤを介して１段上流側の監視装置に送信する。そして、監視装置の各々は、１段下流側の監視装置に接続された制御用接続線ＬＤを介して指定情報を受信すると、１段上流側の監視装置に接続された制御用接続線ＬＤを介して、受信した指定情報を、１段上流側の監視装置に送信し、順次、最上流の監視装置まで指定情報を送信する。これで、監視装置の各々は、受信した指定情報にて、どの撮像装置に対応する識別情報が指定されたか、を認識する。
【００１７】
指定情報に含まれている識別情報「ａ１」が記憶あるいは設定されている監視装置ＫＡ（識別情報「ａ１」に対応する撮像装置ａ１が接続されている監視装置ＫＡ）の制御手段１０は、識別情報「ａ１」に対応する撮像装置ａ１から入力される画像データ、あるいは記憶手段に記憶（記録）されている画像データの中から撮像装置ａ１に対応する画像データを読み出して、映像信号変換手段４０に出力する。更に、当該監視装置ＫＡの制御手段１０は、端子Ｔｉｎと端子Ｔｏｕｔが短絡するようにスイッチＳＷを切り替える。これにより、監視装置ＫＡの映像信号出力部ＥＡｏｕｔから、撮像装置ａ１にて撮像した画像データから変換された映像信号が、映像用接続線ＬＡを介して１段下流側の監視装置ＫＢに出力される。
指定情報に含まれている識別情報「ａ１」が記憶あるいは設定されていない監視装置ＫＢ〜ＫＮ（識別情報「ａ１」に対応する撮像装置ａ１が接続されていない監視装置ＫＢ〜ＫＮ）の制御手段１０は、端子Ｔｅｘと端子Ｔｏｕｔが短絡するようにスイッチＳＷを切り替えて、映像信号入力部ＥＡｉｎから入力された映像信号を、映像信号出力部ＥＡｏｕｔから（スルーで）出力する。
そして、最下流の監視装置ＫＮの映像信号出力部ＥＡｏｕｔに接続された表示装置Ｍには、最上流の監視装置ＫＡから出力された映像信号が入力され、表示装置Ｍにて撮像装置ａ１の画像データに基づいた映像を表示することができる。
【００１８】
以上に説明した本実施の形態では、監視装置を何台直列に接続しても、指定された撮像装置を有する監視装置から最下流の監視装置まで、映像用接続線ＬＡには、１台の監視装置から出力された映像信号が伝送されるのみである。この場合、監視装置を何台増設しても、映像用接続線ＬＡにて伝送されるデータ量が増えることはないので、何台でも増設することができる。なお、監視装置の増設は、全体が直列に接続されていれば、どこに増設してもよいが（監視装置ＫＡの上流や監視装置ＫＢとＫＣの間等）、最下流の監視装置ＫＮの更に下流側に監視装置を増設する場合、新たに最下流となった監視装置に操作手段を備えるとともに表示装置Ｍを接続すればよい。
【００１９】
以上の説明では、最下流の監視装置ＫＮに操作手段を備え、監視装置ＫＮの制御データ入力部ＣＤｉｎには何も接続されない例を説明したが、最下流の監視装置ＫＮから操作手段を省略して、監視装置ＫＮの制御データ入力部ＣＤｉｎに、別体で構成した操作ユニット（入力キーと入力結果を表示する表示機等を備えたユニット）を接続するようにしてもよい。この場合、全ての監視装置ＫＡ〜監視装置ＫＮにおいて、記録装置を共通とすることができる。なお、最下流の更に下流側に増設した場合、新たに最下流となった監視装置に操作ユニットと表示装置Ｍを接続すればよい。
この場合、操作ユニットは、識別情報「ａ１」を含む指定情報を、監視装置ＫＮの制御データ入力部ＣＤｉｎに出力し、監視装置ＫＮは、受信した指定情報を制御データ出力部ＣＤｏｕｔから出力する。以降、上記と同様に、最上流の監視装置ＫＡまで、順次、識別情報が伝送される。
【００２０】
また、同一の監視装置であれば、上記の操作手段または操作ユニットから、複数の撮像装置を指定して、表示装置Ｍにて複数の撮像装置からの画像データに基づいた映像を表示させることができる。
例えば、監視装置ＫＢの撮像装置ｂ１〜ｂ４による映像を表示装置Ｍに表示させたい場合、識別情報「ｂ１」「ｂ２」「ｂ３」「ｂ４」を指定（入力）する。監視装置の各々にて順次伝送される指定情報には、識別情報「ｂ１」「ｂ２」「ｂ３」「ｂ４」が含まれている。
そして、指定情報に含まれている複数の識別情報の各々（識別情報「ｂ１」「ｂ２」「ｂ３」「ｂ４」）が記憶または設定されている監視装置ＫＢ（識別情報「ｂ１」「ｂ２」「ｂ３」「ｂ４」の各々に対応する撮像装置ｂ１〜ｂ４が接続されている監視装置ＫＢ）の制御手段１０は、識別情報「ｂ１」〜「ｂ４」に対応する撮像装置ｂ１〜ｂ４から入力される画像データ、あるいは記憶手段に記憶（記録）されている画像データの中から撮像装置ｂ１〜ｂ４に対応する画像データを読み出して、映像信号変換手段４０に出力する。この場合、映像信号変換手段４０は、各撮像装置の画像データに基づいた映像を、表示装置Ｍにおける異なる領域にそれぞれが表示されるように（この場合、例えば４分割画面にて撮像装置ｂ１〜ｂ４の４つの映像を表示）映像信号に変換する。以降は、識別情報が１個の場合と同様であるので説明を省略する。
【００２１】
以上、本実施の形態にて説明した監視システム１では、最上流の更に上流側、最下流の更に下流側、直列接続の途中、いかなる位置に監視装置を増設しても、増設した監視装置を映像用接続線ＬＡと制御用接続線ＬＤにて、全ての監視装置が直列接続となるように接続すればよいので、長い敷線を必要とせず、敷線設備を簡略化できるとともに増設が容易である。
また、映像用接続線ＬＡ、及び制御用接続線ＬＤにて伝送するデータ量を増加させることなく、接続する監視装置の数を増加させることができるので、監視装置の増設が更に容易である。
【００２２】
本発明の監視システム１は、本実施の形態で説明した外観、構成、動作等に限定されず、本発明の要旨を変更しない範囲で種々の変更、追加、削除が可能である。
また、本実施の形態の説明では、撮像装置と記録装置を別体として監視装置を構成したが、撮像装置と記録装置を一体化した監視装置を構成してもよい。
【図面の簡単な説明】
【００２３】
【図１】撮像装置ａ１〜ａ４と記録装置Ａにて構成した監視装置ＫＡの例を説明する図である。
【図２】監視装置ＫＡ〜ＫＮ及び表示装置Ｍにて構成した本発明の監視システム１の接続を説明する図である。
【図３】監視装置ＫＢの内部構成の例を説明する図である。
【図４】従来の監視システム１００を説明する図である。
【図５】従来の監視システム１１０を説明する図である。
【符号の説明】
【００２４】
１        監視システム
ａ１〜ａ４、ｂ１〜ｂ４、ｃ１〜ｃ４、ｎ１〜ｎ４    撮像装置
Ａ〜Ｎ        記録装置
ＫＡ〜ＫＮ    監視装置
ＥＡｉｎ      映像信号入力部
ＥＡｏｕｔ    映像信号出力部
ＣＤｉｎ      制御データ入力部
ＣＤｏｕｔ    制御データ出力部
１０          制御手段（ＣＰＵ）
２０          スイッチャ
３０          記憶手段
４０          映像信号変換手段
５０          操作手段
ＬＡ          映像用接続線
ＬＤ          制御用接続線
Ｍ            表示装置
Ｗ            受信装置
【図１】
2008219223.tif 000003
【図２】
2008219223.tif 000004
【図３】
2008219223.tif 000005
【図４】
2008219223.tif 000006
【図５】
2008219223.tif 000007